(57)【要約】【課題】簡素な構成で投写レンズを払拭可能な払拭部を備えたプロジェクターを提供する。【解決手段】プロジェクターは、投写レンズ３３を収納し、投写レンズ３３から射出された光が通過する投写用開口部を有する外装筐体と、第１方向にスライド移動することによって投写用開口部を開閉するレンズカバー５１と、レンズカバー５１の投写レンズ３３側に配置され、レンズカバー５１と共に第１方向に移動し、投写レンズ３３光射出側端面３３Ａを払拭可能な払拭部５２と、払拭部５２を第１方向とは交差する第２方向Ｄ２に移動させることにより、スライド移動において払拭部５２が光射出側端面３３Ａを払拭可能な第１状態と、スライド移動において払拭部５２が光射出側端面３３Ａから離間する状態を維持する第２状態とを切り替える払拭部切替部６と、を備える。【選択図】図３
2014191153.tif 000002
【特許請求の範囲】
【請求項１】
光源から射出された光を画像情報に応じて変調し、変調した光を投写レンズにて投写するプロジェクターであって、
前記投写レンズを収納し、前記投写レンズから射出された光が通過する投写用開口部を有する外装筐体と、
第１方向にスライド移動することによって前記投写用開口部を開閉するレンズカバーと、
前記レンズカバーの前記投写レンズ側に配置され、前記レンズカバーと共に前記第１方向に移動し、前記投写レンズの光射出側端面を払拭可能な払拭部と、
前記払拭部を前記第１方向とは交差する第２方向に移動させることにより、前記スライド移動において前記払拭部が前記光射出側端面を払拭可能な第１状態と、前記スライド移動において前記払拭部が前記光射出側端面から離間する状態を維持する第２状態とを切り替える払拭部切替部と、
を備えることを特徴とするプロジェクター。
【請求項２】
請求項１に記載のプロジェクターであって、
前記払拭部切替部は、前記払拭部を前記レンズカバーに対して前記第２方向に移動させることによって前記第１状態と前記第２状態とを切り替えることを特徴とするプロジェクター。
【請求項３】
請求項１または請求項２に記載のプロジェクターであって、
前記外装筐体内を冷却するためのファンと、
前記ファンが送風する空気の向きを前記第１状態と前記第２状態とで切り替える風向切替部と、
を備え、
前記風向切替部は、前記光射出側端面に送風される風量が前記第２状態より前記第１状態の方が多くなるように前記ファンが送風する空気の向きを変えることを特徴とするプロジェクター。
【請求項４】
請求項１〜請求項３のいずれか一項に記載のプロジェクターであって、
前記第１状態を検出する払拭部検出部と、
前記払拭部検出部が前記第１状態を検出した検出結果に基づいて、前記投写レンズから射出される光の明るさを低減させる制御部と、
を備えることを特徴とするプロジェクター。
【請求項５】
請求項３に記載のプロジェクターであって、
前記第１状態を検出する払拭部検出部と、
前記払拭部検出部が前記第１状態を検出した検出結果に基づいて、前記光射出側端面に送風される風量が前記第２状態より前記第１状態の方が多くなるように、前記風向切替部を切り替えさせる制御部と、
を備えることを特徴とするプロジェクター。
【発明の詳細な説明】
【技術分野】
【０００１】
本発明は、プロジェクターに関する。
【背景技術】
【０００２】
従来、光源から射出された光を画像情報に応じて変調し、変調した光を投写レンズで投写するプロジェクターが知られている。このプロジェクターには、使用されないときにおける投写レンズの保護を目的として着脱式のカバーや、スライド式のカバー等が備えられている。また、このスライド式のカバーを利用して、投写レンズのレンズ表面に付着した塵埃を除去するように構成した技術が提案されている（例えば、特許文献１参照）。
【０００３】
特許文献１に記載のプロジェクターは、レンズユニットと、レンズユニットの前面を開閉自在に覆うレンズカバーと、レンズカバーの背面に設けられたパッドと、レンズカバー駆動機構と、レンズユニットを前後方向に進退させるレンズユニット駆動機構と、制御装置とを備える。そして、このプロジェクターは、制御装置がレンズカバー駆動機構およびレンズユニット駆動機構を制御して、レンズカバーを閉塞させた状態でレンズユニットを回転且つ前進させることにより、パッドがレンズユニットのレンズを払拭する。
【先行技術文献】
【特許文献】
【０００４】
【特許文献１】特開２００９−９３１１６号公報
【発明の概要】
【発明が解決しようとする課題】
【０００５】
しかしながら、特許文献１に記載のプロジェクターは、レンズユニットを進退させるレンズユニット機構を備える構成なので、レンズユニットの構造が複雑化することや、レンズユニットが大型化、高重量化することが考えられる。また、払拭するためにレンズを移動させると、払拭後にレンズを元の位置に正確に戻すのが難しく、焦点がずれる恐れがあり、払拭後に改めてレンズの焦点調整が必要になって操作が煩雑になるという課題もある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光を画像情報に応じて変調し、変調した光を投写レンズにて投写するプロジェクターであって、前記投写レンズを収納し、前記投写レンズから射出された光が通過する投写用開口部を有する外装筐体と、第１方向にスライド移動することによって前記投写用開口部を開閉するレンズカバーと、前記レンズカバーの前記投写レンズ側に配置され、前記レンズカバーと共に前記第１方向に移動し、前記投写レンズの光射出側端面を払拭可能な払拭部と、前記払拭部を前記第１方向とは交差する第２方向に移動させることにより、前記スライド移動において前記払拭部が前記光射出側端面を払拭可能な第１状態と、前記スライド移動において前記払拭部が前記光射出側端面から離間する状態を維持する第２状態とを切り替える払拭部切替部と、を備えることを特徴とする。
【０００８】
この構成によれば、プロジェクターは、レンズカバーと共に第１方向にスライド移動する払拭部、およびこの払拭部を第１状態と第２状態とに切り替える払拭部切替部を備えている。これによって、使用されないときの投写レンズを保護しつつ、次のような効果を奏するプロジェクターの提供が可能となる。すなわち、光射出側端面の払拭が必要な場合に払拭部を第１状態にし、レンズカバーをスライド移動させることで、光射出側端面に付着した塵埃等を取り除くことができる。一方、払拭が不要な場合には、払拭部を第２状態にすることでレンズカバーをスライド移動させる操作力の低減や、払拭部の摩耗を回避して、投写用開口部を開閉できる。
また、光射出側端面を払拭するための構成を投写レンズに盛り込むことが不要なので、投写レンズの構造の複雑化や大型化を抑制できる。さらに、光射出側端面の払拭のために投写レンズを操作する必要がないので、フォーカスやズームがずれること無く、光射出側端面の払拭が可能となる。
したがって、簡素な構造で光射出側端面を払拭する構成を可能とし、長期に亘って鮮明な画像の投写が可能なプロジェクターの提供が図れる。
【０００９】
［適用例２］上記適用例に記載のプロジェクターにおいて、前記払拭部切替部は、前記払拭部を前記レンズカバーに対して前記第２方向に移動させることによって前記第１状態と前記第２状態とを切り替えることが好ましい。
【００１０】
この構成によれば、レンズカバーは、第１方向に移動するように構成されていれば、第２方向に移動可能とする構成が不要なので、第２方向におけるレンズカバーの移動スペースが不要になることによるプロジェクターの大型化の抑制が可能となる。また、払拭部をレンズカバーと共に第２方向に移動させる構成に比べて払拭部切替部の簡素化が図れる。
【００１１】
［適用例３］上記適用例に記載のプロジェクターにおいて、前記外装筐体内を冷却するためのファンと、前記ファンが送風する空気の向きを前記第１状態と前記第２状態とで切り替える風向切替部と、を備え、前記風向切替部は、前記光射出側端面に送風される風量が前記第２状態より前記第１状態の方が多くなるように前記ファンが送風する空気の向きを変えることが好ましい。
【００１２】
この構成によれば、ファンから送風される空気は、風向切替部によって、第２状態より第１状態の方がより多く光射出側端面に送風される。これによって、光射出側端面を払拭可能とする第１状態においては、光射出側端面にファンからの空気が送風されるので、光射出側端面から取り除かれた塵埃を投写用開口部等から外装筐体外に排出することが可能となる。よって、専用のファンを備えることなく、外装筐体内を冷却するためのファンが送風する空気を利用して、取り除かれた塵埃が再び光射出側端面に付着することを抑制する構成が可能となる。
【００１３】
［適用例４］上記適用例に記載のプロジェクターにおいて、前記第１状態を検出する払拭部検出部と、前記払拭部検出部が前記第１状態を検出した検出結果に基づいて、前記投写レンズから射出される光の明るさを低減させる制御部と、を備えることが好ましい。
【００１４】
この構成によれば、制御部は、払拭部検出部が払拭部の第１状態を検出した場合に、例えば、消灯を含めて光源から射出される光量の低減や、全黒となる投写（いわゆる、画像ミュート）等で、投写レンズから射出される光の明るさを低減させる。これによって、光射出側端面を払拭中に、ユーザーへの不快感を緩和することや、光射出側端面の温度上昇を低減できることによる払拭部の温度による劣化を抑制することができる。
【００１５】
［適用例５］上記適用例に係るプロジェクターにおいて、前記第１状態を検出する払拭部検出部と、前記払拭部検出部が前記第１状態を検出した検出結果に基づいて、前記光射出側端面に送風される風量が前記第２状態より前記第１状態の方が多くなるように、前記風向切替部を切り替えさせる制御部と、を備えることが好ましい。
【００１６】
この構成によれば、制御部は、払拭部検出部が払拭部の第１状態を検出した場合に、光射出側端面に送風される風量が第２状態より多くなるように風向切替部を切り替えさせる。これによって、払拭部が第１状態になった場合に、風向切替部を操作することなく、ファンから送風される空気は、第２状態の場合より多く光射出側端面に送風されるので、光射出側端面から取り除かれた塵埃を投写用開口部等から確実に外装筐体外に排出することが可能となる。
【図面の簡単な説明】
【００１７】
【図１】本実施形態のプロジェクターの外観を模式的に示す斜視図。
【図２】本実施形態のプロジェクターの構成を示すブロック図。
【図３】本実施形態のカバーユニットを模式的に示す側面図。
【図４】本実施形態のプロジェクターの風向切替部およびカバーユニット近傍の模式図。
【図５】本実施形態のプロジェクターの起動時の動作を説明するフローチャート。
【図６】本実施形態の画像を投写中のプロジェクターの動作を説明するフローチャート。
【発明を実施するための形態】
【００１８】
以下、本実施形態に係るプロジェクターについて、図面を参照して説明する。
本実施形態のプロジェクターは、光源から射出された光を画像情報に応じて変調し、変調した光をスクリーン等の投写面に拡大投写する。
【００１９】
〔プロジェクターの主な構成〕
図１は、本実施形態のプロジェクター１の外観を模式的に示す斜視図である。図２は、本実施形態のプロジェクター１の構成を示すブロック図である。
プロジェクター１は、図１、図２に示すように、外装を構成する外装筐体２、画像投写部３、冷却装置４、カバーユニット５、風向切替部７、カバー検出部８および制御部９１を有する回路ユニット９を備えている。なお、以下では、説明の便宜上、プロジェクター１から光が投写される方向を前側とし、プロジェクター１が机上等に据え置かれた姿勢におけるプロジェクターの前方から見て上下、左右となる方向をそれぞれ上下方向、左右方向として記載する。
【００２０】
外装筐体２の前面には、図１に示すように、投写用開口部２１が形成されており、この投写用開口部２１の内側には、画像投写部３に備えられた投写レンズ３３が配置されている。そして、投写レンズ３３から射出された光は、この投写用開口部２１を通過して前方に配置された投写面ＳＣに投写される。
また、外装筐体２の前面には、内部の空気が排出される排気口２２が形成され、図示は省略するが、外装筐体２の下面には、外気を取り込むための吸気口が形成されている。
【００２１】
外装筐体２の上面には、ユーザーにより入力操作が行われる入力操作部２３と、報知部２４とが備えられている。
入力操作部２３は、電源のオン／オフを切り替える電源キー、プロジェクター１の各種設定を行うためのメニュー画像の表示／非表示を切り替えるメニューキー、入力ソースを切り替えるソース切替えキー等、各種指示を行うための複数のキー等を備えている。
【００２２】
報知部２４は、複数のＬＥＤ（Light emitting diode）を備え、ＬＥＤの点灯パターンや発光色等でプロジェクター１の動作状態を報知する。なお、報知部２４がブザーを備える構成とし、ブザーの鳴動パターン等でプロジェクター１の動作状態を報知するように構成してもよい。また、ＬＥＤおよびブザーを備えるように報知部２４を構成してもよい。
また、外装筐体２の上面には、投写レンズ３３の上方に位置し、第１方向Ｄ１としての左右方向に延出する長孔２５が形成されている。そして、この長孔２５からカバーユニット５の後述する把持部６４１が突出している。
【００２３】
画像投写部３は、図２に示すように、光源３１、光変調装置としての３つの液晶ライトバルブ３２Ｒ，３２Ｇ，３２Ｂ、投写レンズ３３、液晶駆動部３４を備えている。画像投写部３は、光源３１から射出された光を、液晶ライトバルブ３２Ｒ，３２Ｇ，３２Ｂで変調し、投写レンズ３３から投写することによってスクリーンＳＣ等に画像を表示する。
【００２４】
光源３１は、超高圧水銀ランプやメタルハライドランプ等からなる放電型の光源ランプ３１１、および光源ランプ３１１が放射した光を反射するリフレクター３１２を備えている。
光源３１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ３２Ｒ，３２Ｇ，３２Ｂに入射する。
【００２５】
液晶ライトバルブ３２Ｒ，３２Ｇ，３２Ｂは、一対の透明基板間に液晶が封入された液晶パネル等によって構成される。液晶ライトバルブ３２Ｒ，３２Ｇ，３２Ｂには、マトリックス状に配列された複数の画素（図示せず）が形成されており、画素毎に駆動電圧が印加可能になっている。
液晶駆動部３４は、入力される画像情報に応じた駆動電圧を液晶ライトバルブ３２Ｒ，３２Ｇ，３２Ｂの各画素に印加する。各画素は、画像情報に応じた光透過率に設定され、光源３１から射出された光は、液晶ライトバルブ３２Ｒ，３２Ｇ，３２Ｂを透過することによって変調され、画像情報に応じた画像光が色光毎に形成される。
液晶ライトバルブ３２Ｒ，３２Ｇ，３２Ｂで形成された各色の画像光は、図示しない色合成光学系によって画素毎に合成されてカラーの画像光となった後、投写レンズ３３によってスクリーンＳＣに拡大投写される。
【００２６】
冷却装置４は、図示しない吸気用のファン、排気用のファン４１および排気ダクト４２（図４参照）を備えている。
吸気用のファンは、外装筐体２の吸気口から取り込んだ外部の空気を液晶ライトバルブ３２Ｒ，３２Ｇ，３２Ｂ等に送風し、これらの部材を冷却する。
排気用のファン４１は、光源３１等を冷却して暖まった外装筐体２内部の空気を外装筐体２の排気口２２から外部に排出する。
排気ダクト４２は、ファン４１が送風する空気を排気口２２に導く。
【００２７】
カバーユニット５は、把持部６４１がユーザーに把持されて第１方向Ｄ１（左右方向）にスライド移動可能に構成されている。カバーユニット５は、図１に示すように、投写用開口部２１を開閉するレンズカバー５１、図２に示すように、レンズカバー５１の投写レンズ３３側に配置される払拭部５２、払拭部５２の位置を切り替える払拭部切替部６、および払拭部５２の位置を検出する払拭部検出部５３を備えている。
【００２８】
レンズカバー５１は、投写用開口部２１を閉塞する大きさに形成され、プロジェクター１が使用されない際に投写レンズ３３を保護する機能を有している。
払拭部５２は、光射出側端面３３Ａを払拭する払拭材５２１（図３参照）を備え、レンズカバー５１と共に第１方向Ｄ１（左右方向）に移動し、レンズカバー５１に対して第１方向Ｄ１（左右方向）とは直交する第２方向Ｄ２（前後方向）に移動可能に構成されている。
【００２９】
払拭部切替部６は、ユーザーから操作されることによって、払拭部５２を第２方向Ｄ２（前後方向）に移動させ、払拭材５２１が光射出側端面３３Ａ（図３参照）を払拭可能な第１状態と、レンズカバー５１のスライド移動において払拭材５２１が光射出側端面３３Ａから離間する状態が維持される第２状態とを切り替えるように構成されている。なお、第２方向Ｄ２は、第１方向Ｄ１に対して交差する方向であれば、直交する方向に限らない。
払拭部検出部５３は、払拭部５２の第１状態を検出し、検出結果を制御部９１に出力する。カバーユニット５については、後で詳細に説明する。
【００３０】
風向切替部７は、払拭部検出部５３の検出結果に基づいて、制御部９１の指示によってファン４１から送風される空気の風向きを変更可能に構成されている。風向切替部７については、後で詳細に説明する。
【００３１】
カバー検出部８は、レンズカバー５１が当接することによって接続状態が切り替わるスイッチで構成されている。カバー検出部８は、レンズカバー５１が投写用開口部２１を開放する開放状態以外に位置付けられていることを検知し、検知した信号を制御部９１に出力する。なお、カバー検出部８は、光センサーを利用したものや磁気センサーを利用したものであってもよい。
【００３２】
回路ユニット９は、図２に示すように、制御部９１、記憶部９２、画像信号入力部９３、画像信号処理部９４、ＯＳＤ処理部９５、ファン制御部９６、電源部９７、および光源制御部９８を備えている。
【００３３】
制御部９１は、ＣＰＵ（Central Processing Unit）や、各種データ等の一時記憶に用いられるＲＡＭ（Random Access Memory）、計時を行うタイマー９１１等を備え、記憶部９２に記憶されている制御プログラムにしたがって動作することによりプロジェクター１の動作を統括制御する。つまり、制御部９１は、記憶部９２とともにコンピューターとして機能する。
【００３４】
制御部９１は、カバー検出部８から信号が出力されると、例えば、画像ミュート状態となるようにプロジェクター１を制御する。つまり、プロジェクター１は、レンズカバー５１が投写用開口部２１を開放した場合に画像の投写が可能で、レンズカバー５１が投写用開口部２１を開放する開放状態以外に位置付けられた場合には、画像ミュート状態となるように構成されている。
また、制御部９１は、払拭部検出部５３の検出結果に応じて風向切替部７および光源制御部９８を制御する。この払拭部検出部５３の検出結果に応じた制御部９１の動作については後で詳細に説明する。
【００３５】
記憶部９２は、マスクＲＯＭ（Read Only Memory）や、フラッシュメモリー、ＦｅＲＡＭ（Ferroelectric RAM：強誘電体メモリー）等の不揮発性のメモリーにより構成されている。記憶部９２には、プロジェクター１の動作を制御するための制御プログラムや、プロジェクター１の動作条件を規定する各種設定データ等が記憶されている。
【００３６】
画像信号入力部９３は、複数の画像入力端子（図示省略）を備え、ビデオ再生装置やパーソナルコンピューター等、外部の画像出力装置から図示しないケーブルを介して画像情報が入力される。入力された画像情報は、制御部９１の指示に基づき、画像信号処理部９４に出力される。なお、画像信号入力部９３が無線通信や光通信などの受信部を備える構成とし、外部機器から無線によって出力された画像信号がこの受信部から入力するように構成にしてもよい。
【００３７】
画像信号処理部９４は、画像信号入力部９３から入力された各種形式の画像情報を、液晶ライトバルブ３２Ｒ，３２Ｇ，３２Ｂの各画素の階調を表す画像情報、すなわち各画素に印加する駆動電圧を規定するための画像情報に変換する。さらに、画像信号処理部９４は、制御部９１の指示に基づいて、変換した画像情報に対して、明るさ、コントラスト、シャープネス、色合等を調整するための画像調整処理を行い、処理後の画像情報をＯＳＤ処理部９５に出力する。
【００３８】
ＯＳＤ処理部９５は、制御部９１の指示に基づいて、メニュー画像やメッセージ画像等のＯＳＤ（On Screen Display）画像を、入力画像上に重畳する処理を行う。ＯＳＤ処理部９５は、図示しないＯＳＤメモリーを備えており、ＯＳＤ画像を形成する図形やフォント等を表すＯＳＤ画像情報を記憶している。制御部９１がＯＳＤ画像の重畳を指示すると、ＯＳＤ処理部９５は、必要なＯＳＤ画像情報をＯＳＤメモリーから読み出し、入力画像の所定の位置にＯＳＤ画像が重畳されるように、画像信号処理部９４から入力される画像情報にこのＯＳＤ画像情報を合成する。ＯＳＤ画像情報が合成された画像情報は、液晶駆動部３４に出力される。なお、制御部９１からＯＳＤ画像を重畳する旨の指示がない場合には、ＯＳＤ処理部９５は、画像信号処理部９４から出力される画像情報をそのまま液晶駆動部３４に出力する。
【００３９】
ファン制御部９６は、制御部９１の指示に基づいて、吸気用のファン（図示省略）およびファン４１の回転の始動、およびその停止を制御するとともに、図示しない温度検出部の検出結果に基づいて制御部９１の指示によって吸気用のファンおよびファン４１の回転数を制御する。
【００４０】
電源部９７には、外部からＡＣ１００Ｖ等の商用電源が供給される。電源部９７は、商用電源（交流電源）を所定の電圧の直流電源に変換して、プロジェクター１の各部に電力を供給する。また、電源部９７は、画像の投写に必要な電力（動作電力）を各部に供給する状態（電源オン状態）と、動作電力の供給を停止して、電源をオンにするための操作を待機する状態（スタンバイ状態）とが切り替えられるように構成されている。
【００４１】
光源制御部９８は、制御部９１の指示に基づいて、光源３１に対する電力の供給と停止とを制御し、光源３１の点灯および消灯を切り換える。
【００４２】
〔カバーユニットの構成〕
ここで、カバーユニット５について、詳細に説明する。
カバーユニット５は、前述したように、レンズカバー５１、払拭部５２、払拭部切替部６、および払拭部検出部５３を備え、払拭部切替部６によって、スライド移動において払拭部５２が光射出側端面３３Ａを払拭可能な第１状態と、スライド移動において払拭部５２が光射出側端面３３Ａから離間する状態が維持される第２状態とを切り替えるように構成されている。
【００４３】
図３は、カバーユニット５を模式的に示す側面図であり、（ａ）は、第２状態を示す図、（ｂ）は、第１状態を示す図である。
レンズカバー５１は、平面視矩形の板状に形成され、上下の端部が外装筐体２に設けられた図示しない案内部に案内されて第１方向Ｄ１（左右方向）にスライド移動できるように形成されている。
【００４４】
払拭部５２は、図３に示すように、払拭材５２１に加え、払拭材５２１を保持する保持部５２２を備えている。
払拭材５２１は、発泡部材や不織布、あるいはこれらの部材が組み合わされた部材等の伸縮性を有する柔らかい材料が用いられており、光射出側端面３３Ａを傷つけることなく光射出側端面３３Ａを払拭することができるように形成されている。
保持部５２２は、払拭材５２１のレンズカバー５１側に配置され、側面には、図３（ｂ）
に示すように、上下方向が前後方向より長い長穴５２２ａが形成されている。払拭材５２１は、接着剤等を介して保持部５２２に固定される。
【００４５】
払拭部切替部６は、図３に示すように、案内部６１、支持部６２、連結部６３および操作レバー６４を備えている。
案内部６１は、レンズカバー５１から投写レンズ３３側に向かって突出し、払拭部５２の上側および下側に一対設けられている。案内部６１は、払拭部５２の第２方向Ｄ２への移動を案内する。
【００４６】
支持部６２は、一対の案内部６１の間に設けられ、レンズカバー５１から投写レンズ３３側に向かって突出している。
連結部６３は、図３に示すように、平面視Ｌ字状に形成されており、払拭部５２と操作レバー６４とを連結し、中央部が支持部６２に回転自在に軸支されている。連結部６３は、一方の端部近傍が保持部５２２の長穴５２２ａに軸支され、他方の端部近傍が操作レバー６４に軸支されている。
【００４７】
操作レバー６４は、レンズカバー５１と払拭部５２との間に配置され、上下方向に延出している。操作レバー６４は、一方の端部に連結部６３が軸支され、他方の端部には、把持部６４１が設けられている。把持部６４１は、図１に示すように、外装筐体２の上面から突出するように形成されている。
把持部６４１は、カバーユニット５が操作される際にユーザーに把持される部位であり、把持部６４１は、投写用開口部２１が開閉される際には、第１方向Ｄ１（左右方向）にスライド移動され、第１状態と第２状態とを切り替える際には、上下方向に移動される。
また、操作レバー６４には、上側の案内部６１と支持部６２との間に位置し、払拭部５２側に突出する突起６４２が形成されている。
【００４８】
払拭部検出部５３は、突起６４２の上方に配置され、突起６４２が当接することによって接続状態が切り替わるスイッチで構成されている。払拭部検出部５３は、突起６４２が当接したことを検出すると、その検出結果を制御部９１に出力する。なお、払拭部検出部５３は、光センサーを利用したものや磁気センサーを利用したものであってもよい。
【００４９】
払拭部切替部６は、図３（ａ）に示すように、第２状態においては、平面視Ｌ字状の連結部６３が前後方向および上下方向に沿うように位置し、突起６４２が、払拭部検出部５３から離間した状態となる。そして、払拭部５２は、第２状態において、投写レンズ３３から離間した状態となり、この投写レンズ３３から離間した状態は、第２状態においては、カバーユニット５がスライド移動されても維持される。つまり、払拭部５２は、第２状態においてスライド移動されても、光射出側端面３３Ａを払拭しないこととなる。
【００５０】
第２状態から操作レバー６４が上方に引き出されると、連結部６３は、支持部６２に軸支されている軸を中心に回転（図３における時計回りに回転）する。そして、連結部６３に軸支されている払拭部５２は、図３（ｂ）に示すように、投写レンズ３３側に移動して払拭材５２１が投写レンズ３３の光射出側端面３３Ａを払拭可能な第１状態となり、突起６４２は、払拭部検出部５３に当接して払拭部検出部５３の接続状態を切り替える。
払拭部検出部５３は、接続状態が切り替えられることにより払拭部５２が第１状態であることを示す信号を制御部９１に出力する。
この第１状態において、レンズカバー５１が第１方向Ｄ１にスライド移動されると、払拭部５２は、レンズカバー５１と共に移動し、払拭材５２１が光射出側端面３３Ａを払拭する。
【００５１】
また、払拭部切替部６は、第１状態から操作レバー６４が下方に押し込まれると、連結部６３が図３における反時計回りに回転し、払拭部５２は、図３（ａ）に示すように、第２状態となる。
【００５２】
〔風向切替部の構成〕
次に、風向切替部７について、詳細に説明する。
図４は、プロジェクター１の風向切替部７およびカバーユニット５近傍の模式図であり、（ａ）は第２状態のプロジェクター１を示す図、（ｂ）は、第１状態のプロジェクター１を示す図である。
風向切替部７は、図４に示すように、ファン４１および排気ダクト４２の近傍に配置され、可動板７１および駆動部７２を備えている。
【００５３】
ここで、排気ダクト４２について説明する。
排気ダクト４２は、図４に示すように、ファン４１と排気口２２との間に配置され、ファン４１から送風された空気を排気口２２に導く。
排気ダクト４２には、図４（ｂ）に示すように、投写レンズ３３側に開口部４２１が設けられ、開口部４２１の排気口２２側には、傾斜壁４２２が形成されている。
傾斜壁４２２は、排気口２２側に向かう程、投写レンズ３３に近づくように形成されている。
【００５４】
可動板７１は、排気ダクト４２の開口部４２１を回転により開閉可能に形成されている。
駆動部７２は、モーターやソレノイド等を有して構成され、制御部９１の指示に基づいて、可動板７１を回転させる。そして、可動板７１は、払拭部５２が第２状態においては、図４（ａ）に示すように、開口部４２１を閉塞した閉塞状態となり、払拭部５２が第１状態においては、図４（ｂ）に示すように、傾斜壁４２２と略平行となるように回転して開口部４２１を開放する開放状態となる。
【００５５】
ファン４１から送風される空気は、開口部４２１が閉塞状態、つまり払拭部５２が第２状態において、殆どが排気口２２から排出されるが、開口部４２１が開放状態、つまり払拭部５２が第１状態においては、一部が開口部４２１から光射出側端面３３Ａに向けて送風される。
このように、風向切替部７は、ファン４１が送風する空気の向きを第１状態と第２状態とで切り替え、第１状態において光射出側端面３３Ａに送風される風量が第２状態より多くなるようにファン４１が送風する空気の向きを変える。
【００５６】
〔プロジェクターの動作〕
次に、プロジェクター１の動作について説明する。
先ず、プロジェクター１の起動時の動作について、図５を用いて説明する。
図５は、プロジェクター１の起動時の動作を説明するフローチャートである。
電源キーが操作されて、電源がオンされると、制御部９１は、払拭部検出部５３からの出力に基づいて払拭部５２が第１状態であるか否か、つまり払拭部５２が突出しているか否かを判断する（ステップＳ１０１）。
【００５７】
ステップＳ１０１において、払拭部５２が突出している（第１状態）と判断された場合には、ステップＳ１０２に移行し、払拭部５２が突出していないと判断された場合には、ステップＳ１０３に移行する。
ステップＳ１０２において、制御部９１は、報知部２４のＬＥＤを警告表示となる表示に点灯させて、払拭部５２が突出していることを警告し、ステップＳ１０４に移行する。
【００５８】
ステップＳ１０４において、制御部９１は、所定の時間間隔で払拭部検出部５３からの出力を監視し、払拭部５２が突出している場合には、この監視を継続し、払拭部５２が突出していない場合には、ステップＳ１０５に移行する。
ステップＳ１０５において、制御部９１は、報知部２４の警告表示を終了させ、ステップＳ１０３に移行する。
【００５９】
ステップＳ１０３において、制御部９１は、光源３１を点灯させ、ステップＳ１０６に移行する。
ステップＳ１０６において、制御部９１は、入力される画像情報に応じた画像を投写し、このフローを終了する。
【００６０】
次に、画像を投写中に払拭部５２が移動された場合のプロジェクター１の動作について、図６を用いて説明する。
図６は、画像を投写中のプロジェクター１の動作を説明するフローチャートである。
制御部９１は、プロジェクター１が画像を投写中に、所定の時間間隔で払拭部検出部５３からの出力を監視する（ステップＳ２０１）。
そして、ステップＳ２０１において、払拭部５２が突出されると、つまり、払拭部５２が第１状態になると、制御部９１は、払拭部検出部５３からの出力に基づいて払拭部５２が突出していると判断してステップＳ２０２に移行する。
【００６１】
ステップＳ２０２において、制御部９１は、報知部２４のＬＥＤを警告表示となる表示に点灯させて、払拭部５２が突出していることを警告し、ステップＳ２０３に移行する。
ステップＳ２０３において、制御部９１は、タイマー９１１をスタートさせ、所定の時間払拭部検出部５３からの出力を監視する（ステップＳ２０４）。
【００６２】
そして、ステップＳ２０４において、制御部９１は、払拭部５２が突出していない場合には、ステップＳ２０５に移行し、払拭部５２が突出している場合には、ステップＳ２０６に移行する。
ステップＳ２０５において、制御部９１は、報知部２４の警告を終了し、ステップＳ２０１に戻る。
一方、ステップＳ２０６に移行した場合、制御部９１は、払拭部５２が突出している状態が所定の時間経過したか否かを計時し、所定の時間が経過していない場合には、ステップＳ２０４に戻り、所定の時間が経過した場合には、ステップＳ２０７に移行する。
【００６３】
ステップＳ２０７において、制御部９１は、光源３１を消灯させて画像の投写を中止させ、ステップＳ２０８に移行する。このように、制御部９１は、払拭部検出部５３が第１状態を検出した検出結果に基づいて、光源３１を消灯させることにより投写レンズ３３から射出される光の明るさを低減させる。
【００６４】
ステップＳ２０８において、制御部９１は、報知部２４の警告を終了させ、ステップＳ２０９に移行する。
ステップＳ２０９において、制御部９１は、駆動部７２を駆動して閉塞状態（図４（ａ）参照）の可動板７１を開放状態（図４（ｂ）参照）にさせ、ステップＳ２１０に移行する。このように、制御部９１は、払拭部検出部５３が第１状態を検出した検出結果に基づいて、光射出側端面３３Ａに送風される風量が第２状態より第１状態の方が多くなるように、風向切替部７を切り替えさせる。
【００６５】
この開放状態において、ファン４１から送風された空気は、図４（ｂ）に示すように、一部が投写レンズ３３に向かう。そして、レンズカバー５１がスライド移動されることで、光射出側端面３３Ａから払拭された塵埃の多くは、ファン４１から送風された空気によって投写用開口部２１や、図示しない外装筐体２の開口部（例えば、投写レンズ３３近傍の外装筐体２側面に設けられた開口部等）から外部に排出される。なお、開放状態においては、光源３１は消灯されているので、ファン４１から送風される空気の温度は、閉塞状態における空気の温度より低い温度となる。これによって、ファン４１からの空気が光射出側端面３３Ａに送風されても、投写レンズ３３やカバーユニット５は、温度劣化することがない。
【００６６】
ステップＳ２１０において、制御部９１は、所定の時間間隔で払拭部検出部５３からの出力を監視し、払拭部５２が突出している場合には、この監視を継続し、払拭部５２が突出していない場合には、ステップＳ２１１に移行する。
ステップＳ２１１において、制御部９１は、可動板７１を閉塞状態にしてステップＳ２１２に移行する。
【００６７】
制御部９１は、プロジェクター１が画像を投写可能な状態において投写を再開するか否かを設定できるように構成されている。ステップＳ２１２において、制御部９１は、投写再開の設定がなされていたか否かを確認し、投写再開が設定されていた場合には、ステップＳ２１３に移行し、投写再開が設定されていない場合には、ステップＳ２１４に移行する。
【００６８】
ステップＳ２１３において、制御部９１は、光源３１を点灯して投写を再開し、ステップＳ２０１に戻る。
一方、ステップＳ２１４に移行した場合には、制御部９１は、プロジェクター１をスタンバイ状態とし、このフローを終了する。
【００６９】
以上説明したように、本実施形態によれば、以下の効果を得ることができる。
（１）プロジェクター１は、カバーユニット５を備えているので、使用されないときの投写レンズ３３を保護しつつ、次のような効果を奏する。すなわち、光射出側端面３３Ａの払拭が必要な場合には、払拭部５２を第１状態にし、レンズカバー５１をスライド移動させることで、光射出側端面３３Ａに付着した塵埃等を取り除くことができる。一方、払拭が不要な場合には、払拭部５２を第２状態にすることで、レンズカバー５１をスライド移動させる操作力の低減や、払拭材５２１の摩耗を回避して投写用開口部２１を開閉できる。
また、光射出側端面３３Ａを払拭するための構成を投写レンズ３３に盛り込むことが不要なので、投写レンズ３３の構造の複雑化や大型化を抑制できる。さらに、光射出側端面３３Ａの払拭のために投写レンズ３３を操作する必要がないので、フォーカスやズームがずれること無く、光射出側端面３３Ａの払拭が可能となる。
したがって、簡素な構造で光射出側端面３３Ａを払拭する構成を可能とし、長期に亘って鮮明な画像の投写が可能なプロジェクター１の提供が図れる。
【００７０】
（２）レンズカバー５１は、第１方向Ｄ１に移動するように構成されていれば、第２方向Ｄ２に移動可能とする構成が不要なので、第２方向Ｄ２におけるレンズカバー５１の移動スペースが不要になることによるプロジェクター１の大型化の抑制が可能となる。また、払拭部５２をレンズカバー５１と共に第２方向Ｄ２に移動させる構成に比べて払拭部切替部６の簡素化が図れる。
【００７１】
（３）ファン４１から送風される空気は、風向切替部７によって、第２状態より第１状態の方がより多く光射出側端面３３Ａに送風される。これによって、光射出側端面３３Ａを払拭可能とする第１状態においては、光射出側端面３３Ａにファン４１からの空気が送風されるので、光射出側端面３３Ａから取り除かれた塵埃を投写用開口部２１等から外装筐体２外に排出することが可能となる。よって、専用のファンを備えることなく、外装筐体２内を冷却するためのファン４１が送風する空気を利用して、取り除かれた塵埃が再び光射出側端面３３Ａに付着することを抑制する構成が可能となる。
【００７２】
（４）制御部９１は、払拭部検出部５３が払拭部５２の第１状態を検出した場合に、光源３１を消灯させる。これによって、光射出側端面３３Ａを払拭中に、投写レンズ３３から光が射出されないので、ユーザーへの不快感を防止することや、光射出側端面３３Ａの温度上昇を低減できることによる払拭材５２１の温度劣化を抑制することができる。
【００７３】
（５）制御部９１は、払拭部検出部５３が払拭部５２の第１状態を検出した場合に、光射出側端面３３Ａに送風される風量が第２状態より多くなるように風向切替部７を切り替えさせる。これによって、払拭部５２が第１状態になった場合に、風向切替部７を操作することなく、ファン４１から送風される空気は、第２状態の場合より多く光射出側端面３３Ａに送風されるので、光射出側端面３３Ａから取り除かれた塵埃を投写用開口部２１等から確実に外装筐体２外に排出することが可能となる。
【００７４】
（変形例）
なお、前記実施形態は、以下のように変更してもよい。
前記実施形態の払拭部切替部６は、第２状態から操作レバー６４が引き出されると、第１状態に切り替わるように構成されているが、第２状態から操作レバー６４が押し込まれると、第１状態に切り替わるように構成してもよい。また、操作レバー６４を回転することによって、第１状態と第２状態とが切り替わるように構成してもよい。
【００７５】
レンズカバー５１も払拭部５２と共に第２方向Ｄ２に移動するように構成してもよい。
【００７６】
前記実施形態のカバーユニット５は、手動で操作されるように構成されているが、電動でカバーユニット５を構成し、リモコンによる遠隔操作で第１方向Ｄ１へのスライド移動、および第１状態と第２状態との切り替えが可能となるように構成してもよい。これによって、プロジェクター１が天井等に設置された場合に、プロジェクター１から離れた位置からのリモコン操作で投写用開口部２１の開閉、および光射出側端面３３Ａの払拭が可能となる。
【００７７】
前記実施形態では、光射出側端面３３Ａに空気を送風するファンとして排気用のファン４１が用いられているが、排気用のファン以外の外装筐体２内に配置されるファンを用いてもよい。
また、前記実施形態では、光射出側端面３３Ａに空気を送風するファンと、外装筐体２内を冷却するファンとを兼用しているが、光射出側端面３３Ａに空気を送風する専用のファンを備える構成としてもよい。この構成の場合、風向切替部７は不要となり、払拭部検出部５３が払拭部５２の第１状態を検出した場合にのみ専用のファンが駆動するように構成すればよい。
【００７８】
前記実施形態の風向切替部７は、駆動部７２を備え、制御部９１の指示によってファン４１から送風される空気の向きを変えるように構成されているが、払拭部切替部６と風向切替部７とが機構的に連結し、払拭部５２の第１状態と第２状態との切り替えに連動して風向切替部７が切り替わるように構成してもよい。この構成の場合、風向切替部７における駆動部７２は不要となる。
【００７９】
前記実施形態では、払拭部５２の第１状態の場合に、光源３１が消灯されるように構成されているが、光源３１に供給する電力を小さくして光源３１が射出する光量を低減してもよく、また画像ミュートするように構成してもよい。これによっても、第１状態において投写レンズ３３から射出される光の明るさを低減させることができる。
【００８０】
前記実施形態の光変調装置は、透過型の液晶パネルを用いて構成されているが、反射型の液晶パネルを利用したものであってもよい。
また、前記実施形態の光変調装置は、３つの液晶ライトバルブ３２Ｒ，３２Ｇ，３２Ｂを用いる、いわゆる３板方式を採用しているが、これに限らず、単板方式を採用してもよく、また、他の数の液晶ライトバルブで構成してもよい。
また、光変調装置としてマイクロミラー型の光変調装置、例えば、ＤＭＤ（Digital Micromirror Device）等を利用したものであってもよい。
【００８１】
前記実施形態では、光源３１として放電型の光源ランプ３１１を用いているが、他の方式のランプや、ＬＥＤ光源やレーザー光源等の固体光源で構成してもよい。
【符号の説明】
【００８２】
１…プロジェクター、２…外装筐体、５…カバーユニット、６…払拭部切替部、７…風向切替部、８…カバー検出部、２１…投写用開口部、３１…光源、３２Ｒ，３２Ｇ，３２Ｂ…液晶ライトバルブ、３３…投写レンズ、３３Ａ…光射出側端面、４１…ファン、５１…レンズカバー、５２…払拭部、５３…払拭部検出部、６３…連結部、６４…操作レバー、７１…可動板、７２…駆動部、９１…制御部、５２１…払拭材、５２２…保持部、Ｄ１…第１方向、Ｄ２…第２方向。
【図１】
2014191153.tif 000003
【図２】
2014191153.tif 000004
【図３】
2014191153.tif 000005
【図４】
2014191153.tif 000006
【図５】
2014191153.tif 000007
【図６】
2014191153.tif 000008